(57)【要約】【課題】ＰＧＣに任意のコマンドを設定することで利便性の高い再生動作を可能とする情報記録方法及び情報再生装置とこの情報記憶媒体を提供する。【解決手段】オブジェクト情報（ＶＯＢ）と再生制御情報（ＰＧＣ）とを記録する情報記録方法であり、オブジェクト情報を記録すると共に、オブジェクト情報の再生方法を定義し更にユーザの所定操作に応じて実行される所定コマンドを定義する再生制御情報（ＰＧＣ）を情報記憶媒体に記録する情報記録方法であり、任意の操作に任意のコマンド等を割り当てることで、所望の再生動作を行える。【選択図】    図１
2004213714.tif 000002
【特許請求の範囲】
【請求項１】
オブジェクト情報を情報記憶媒体に記録し、
前記オブジェクト情報の再生方法を定義した第１の再生制御情報を生成し、前記第１の再生制御情報に、ユーザの所定操作に応じて実行される所定コマンド又は第２の再生制御情報を更に定義して、前記情報記憶媒体に記録することを特徴とする情報記録方法。
【請求項２】
オブジェクト情報を情報記憶媒体に記録し、
前記オブジェクト情報の再生方法を定義した再生制御情報を生成し、前記再生制御情報に、タイマを有効にしタイムアップすると実行される所定コマンドを定義して、前記情報記憶媒体に記録することを特徴とする情報記録方法。
【請求項３】
前記再生制御情報は、前記タイマがタイムアップするとリンクされる第２の再生制御情報を定義することを特徴とする請求項２記載の情報記録方法。
【請求項４】
前記再生制御情報は、更に、タイマ動作中にユーザの操作に応じてタイマをリセットするかどうかの制御情報を定義することを特徴とする請求項２記載の情報記録方法。
【請求項５】
オブジェクト情報と、
前記オブジェクト情報の再生方法が定義された第１の再生制御情報とが記録され、前記第１の再生制御情報に、ユーザの所定操作に応じて実行される所定コマンド又は第２の再生制御情報が定義されていることを特徴とする情報記憶媒体。
【請求項６】
オブジェクト情報と、
前記オブジェクト情報の再生方法が定義された再生制御情報とが記録され、前記再生制御情報に、タイマを有効にしタイムアップすると実行される所定コマンドが定義されていることを特徴とする情報記憶媒体。
【請求項７】
前記再生制御情報は、タイムアップするとリンクされる第２の再生制御情報を定義することを特徴とする請求項６記載の情報記憶媒体。
【請求項８】
前記再生制御情報は、タイマ動作中にユーザの操作に応じてタイマをリセットするかどうかの制御情報を更に定義することを特徴とする請求項６記載の情報記憶媒体。
【請求項９】
情報記憶媒体に記録されているオブジェクト情報及び前記オブジェクト情報の再生方法を定義した第１の再生制御情報を読み出す読出部と、前記読出部が読み出した前記オブジェクト情報を前記再生制御情報に応じて再生し、前記第１の再生制御情報の定義に応じて、ユーザの所定操作を検出すると所定コマンド又は第２の再生制御情報を実行する再生部と、を具備することを特徴とする情報再生装置。
【請求項１０】
情報記憶媒体に記録されているオブジェクト情報及び前記オブジェクト情報の再生方法を定義した第１の再生制御情報を読み出す読出部と、
前記第１の再生制御情報の定義に応じて、前記読出部が読み出した前記オブジェクト情報を再生し、タイマのカウントを開始しタイムアップすると前記第１の再生制御情報に定義されている第２の再生制御情報又は所定コマンドを実行する再生部と、
を具備することを特徴とする情報再生装置。
【請求項１１】
前記再生部は、前記第１の再生制御情報の定義に応じて、所定操作があれば前記タイマのカウントをリセットすることを特徴とする請求項１０記載の情報再生装置。
【請求項１２】
前記再生部は、前記第１の再生制御情報の定義に応じて、所定操作があれば前記タイマのカウントをリセットし、前記所定操作が終了後、改めて前記タイマのカウントを再開することを特徴とする請求項１０記載の情報再生装置。
【発明の詳細な説明】
【０００１】
【発明の属する技術分野】
本発明は、映像情報及び再生制御情報の情報記憶媒体への記録方法に関し、特に、再生制御情報に更に定義された他の再生制御情報又はコマンド等を実行する記録方法及び再生装置とこの情報記憶媒体に関する。
【０００２】
【従来の技術】
最近、高密度記録メディアとしてＤＶＤ（Digital Versatile Disk）が開発され、これに映像情報を記録したＤＶＤ−Ｖｉｄｅｏ方式が策定され、これに応じた再生装置も普及が進んでいる。
【０００３】
これに関する従来技術として、「インターラクティブな再生が可能な情報記憶媒体及びその再生システム」を開示するものが知られている（例えば、特許文献１参照）。すなわち、このＤＶＤビデオディスクでは、プログラムチェーン（ＰＧＣ：ProGram Chain、以下、ＰＧＣと呼ぶ）と呼ばれる再生制御情報に基づき、実体であるビデオオブジェクト（ＶＯＢ：Video OBject）を再生するような構成となっている。
【０００４】
このＤＶＤディスク内のデータ構造は、ＶＯＢとＰＧＣに大別される。ＶＯＢには符号化された映像情報が音声（及び副映像情報）とともに記録されている。このＶＯＢは、セル（Cell）と呼ばれる再生単位に分割される。  一方ＰＧＣには、プリコマンド、ポストコマンド及びセルコマンドの制御コマンドと、０個以上のプログラムにより構成される。各プログラムは１つ以上のセルにより構成されており、各セルでは再生すべきＶＯＢのセル（Cell）が指定されている。
【０００５】
再生の際には、再生装置において、まず該ＰＧＣのプリコマンドを実行し、必要に応じてパラメータが設定される。プリコマンドでは分岐コマンドを記述することも許されており、コマンドにより該ＰＧＣ外への分岐が指定されている場合には、該ＰＧＣの再生を中断し、コマンドに記述されている分岐先ＰＧＣの再生が開始される。
【０００６】
プリコマンドで分岐がＰＧＣ外への発生しなかった場合には、プログラム＃１から順にシーケンシャルに、セルの再生（正確にはＰＧＣのセルで指定されたＶＯＢ-セル（Cell）の再生）が開始される。ＤＶＤビデオ規格では、ＰＧＣのセル毎にセルコマンドを指定することもでき、このセルコマンドが指定されている場合には、該セルの再生終了時に、該セルコマンドを実行する。このようなセル再生を順次実行して最終セルまでの再生が終了した場合には、該ＰＧＣのポストコマンドを実行する。ポストコマンドでも分岐コマンドを記述することが許されており、コマンドにより該ＰＧＣ外への分岐が指定されている場合には、記述されている分岐先ＰＧＣの再生を開始する。
【０００７】
ポストコマンドで分岐が発生しなかった場合には、次のＰＧＣの有無が判定され、次のＰＧＣが指定されている場合には、指定のＰＧＣへの分岐が行われ、指定されていない場合には、再生を終了するものである。
【０００８】
【特許文献１】
特開平８-３３９６６５号公報。
【０００９】
【発明が解決しようとする課題】
しかしながら、上記した従来技術においては、ＰＧＣ再生の遷移はプリコマンド、ポストコマンド及びセルコマンドでのみ定義されているため、ＰＧＣ再生の遷移が制限されてしまっている。
【００１０】
例をあげると、映画等を録画したディスクにおいて、タイトル空間にＰＧＣ＃１として本編を、又、ＰＧＣ＃２としてメイキングなどの付加価値映像（以下ＶＡＭ）を記録しておき、本編中のボタン操作によってＶＡＭに飛んだ後、ここからメニューを呼び出してメニューを表示中に、ユーザがレジューム操作を行った場合には、タイトル空間で最後に再生されたＰＧＣ＃２即ちＶＡＭに飛んでしまうこととなり、現行ＤＶＤ規格ではレジューム操作に対して一切コマンドを実行できず、かつレジューム情報を変更することもできないため、ディスク制作側ではこのような場合に本編映像（ＰＧＣ＃１）を再生させたいと考えたとしても、これを実現することはできない。
【００１１】
又、メニュー画像を再生中にユーザが一定期間操作しなかった場合には、制作側があらかじめ用意していた映像（スクリーンセイバー等）を再生させたいと考えても、これを実現するコマンドを記録できないため、実現することはできない。このように、ＤＶＤビデオ規格では、ＰＧＣ情報に任意のコマンドを割り当てることができないため、再生時の動作等に制約があり、提供者が希望する動作を設定することができないという問題がある。
【００１２】
本発明は、上記問題を解決するべく、ＰＧＣに任意のコマンドを設定し、インタラクティブな再生を可能とする情報記録方法及び情報再生装置とこの情報記憶媒体を提供することを目的とする。
【００１３】
【課題を解決するための手段】
本発明は上記課題を解決するべく、オブジェクト情報（ＶＯＢ）と再生制御情報（ＰＧＣ）とを記録する情報記録方法であり、符号化された映像情報を含む前記オブジェクト情報を情報記憶媒体に記録し、前記オブジェクト情報の再生方法を定義し、更に、ユーザの所定操作に応じて実行される所定コマンドを定義する前記再生制御情報を前記情報記憶媒体に記録する、ことを特徴とする情報記録方法である。
【００１４】
本発明は、再生制御情報であるＰＧＣに、オブジェクト情報（ＶＯＢ）の再生順序だけでなく、ユーザの所定操作に応じた所定コマンド等を定義しておくものである。これにより、ユーザが所定操作、例えば、映画等のディスクで本編からメイキング等のＶＡＭ映像を再生し、更にここで、メニューボタンを押下してメニューに戻り再びメニューボタンを押下した場合に、先のＶＡＭ映像の途中に戻らずに、初めの本編の途中に戻ることができるという設定も、可能とすることができる。このように、ユーザの所定操作に所定コマンド等を定義したＰＧＣを記録することで、任意の操作に任意の動作を対応させることが可能となり、再生処理の際の利便性を向上させることができる。
【００１５】
【発明の実施の形態】
以下、図面を参照してこの発明の実施形態の一例を説明する。
【００１６】
図１は、本発明に係る光ディスクの構造の一例を示す図、図２は、本発明に係る光ディスクを扱う光ディスク装置の構造の一例を示すブロック図である。
【００１７】
＜本発明に係る光ディスクの構造の一例＞
初めに、本発明に係るＰＧＣ情報に関して、光ディスクの構造として図面を用いて説明する。
【００１８】
図１の（ａ）は、この実施の形態で説明するディスク形状の情報記憶媒体Ｄのデータ構造の概要を示している。この情報記憶媒体Ｄは、図１の（ｂ）に示すように、その内周側から、リードイン領域１１０、ボリューム／ファイル構造情報領域１１１、データ領域１１２及びリードアウト領域１１３を有している。
【００１９】
このうち、データ領域１１２は、図１の（ｃ）に示すように、一般コンピュータ情報記録領域１２０、ビデオ・データ記録領域１２１及び他のデータ記録領域１２２から構成されている。
【００２０】
そして、ビデオ・データ記録領域１２１は、図１の（ｄ）に示すように、情報記憶媒体Ｄに記録された全情報を管理するプログラムチェーン情報ＰＧＣであるビデオ管理情報記録領域１３０と、タイトル毎に情報を管理する１つ以上のビデオ・タイトル・セット＃ｎ記録領域１４０とを有している。
【００２１】
ここで、本発明の特徴となるプログラムチェーン情報ＰＧＣは、後に詳細に説明される。
【００２２】
又、ビデオ管理情報記録領域１３０は、図１の（ｅ）に示すように、制御データ（ＶＩＤＥＯ＿ＴＳ．ＩＦＯファイル）領域１３１、メニュー用ビデオ・オブジェクト（ＶＩＤＥＯ＿ＴＳ．ＶＯＢファイル）領域１３２及び制御データバックアップ（ＶＩＤＥＯ＿ＴＳ．ＢＵＰファイル）領域１３３から構成されている。
【００２３】
更に、上記ビデオ・タイトル・セット＃ｎ記録領域１４０は、図１の（ｆ）に示すように、制御データ（ＶＴＳ＿ｎｎ＿０．ＩＦＯファイル）領域１４１、メニュー用ビデオ・オブジェクト（ＶＴＳ＿ｎｎ＿０．ＶＯＢファイル）領域１４２、タイトル用ビデオ・オブジェクト（ＶＴＳ＿ｎｎ＿０．ＶＯＢファイル）領域１４３及び制御データバックアップ（ＶＴＳ＿ｎｎ＿０．ＢＵＰファイル）領域１４４を有している。
【００２４】
＜本発明に係る光ディスク装置の一例＞
図２は、上記したディスク形状の情報記憶媒体Ｄから、そこに格納されている情報を読み出してデコード処理し再生する再生処理、又、映像信号、副映像信号、音声信号を受けて、エンコード処理し、これをディスク形状の情報記憶媒体Ｄへと記録する記録処理を行うディスク装置を示している。
【００２５】
図２において、情報記憶媒体Ｄは、ディスクドライブ部１１に装着されている。このディスクドライブ部１１は、装着された情報記憶媒体Ｄを回転駆動し、光ピックアップ（情報記憶媒体Ｄが光ディスクの場合）等を用いて情報記憶媒体Ｄに格納されている情報を読み取りデコードし再生し、又は、エンコードされた信号に応じた情報を情報記憶媒体に記録するものである。又、更に、本発明に係る光ディスク装置においては、ＭＰＵ１３等に接続されているレジューム時・タイマ時のＰＧＣの設定部３４を更に設けており、これを用いた動作が第1乃至第５実施形態として、以下にフローチャートを用いて詳細に説明される。
【００２６】
（再生処理）
以下、本発明に係るディスク装置の再生処理の概要について説明する。ディスクドライブ部１１で読み取られた情報は、ＭＰＵ（Micro Processing Unit）部１３に供給され、エラー訂正処理が施された後、図示しないバッファに格納され、この情報のうち、上記制御データ領域１３１、１４１の管理情報は、メモリ部１４に記録され、再生制御やデータ管理等に利用される。
【００２７】
又、上記バッファに格納された情報のうち、上記ビデオ・オブジェクト領域１３２、１４２及び１４３の情報は、分離部２６に転送され、主映像パック２０３、音声パック２０４及び副映像パック２０５毎に分離される。
【００２８】
そして、主映像パック２０３の情報は映像デコーダ部２７、音声パック２０４の情報は音声デコーダ部２９、副映像パック２０５の情報は副映像デコーダ部２８にそれぞれ供給され、デコード処理が行なわれる。
【００２９】
映像デコーダ部２７でデコード処理された主映像情報と、副映像デコーダ部２８でデコード処理された副映像情報とは、Ｄ−プロセッサ部３０に供給されて重畳処理が施された後、Ｄ／Ａ（Digital／Analogue）変換部３１でアナログ化され、又は、副映像情報は、そのままＤ／Ａ変換部３２でアナログ化され、映像信号として図示しない映像表示装置（例えばＣＲＴ：Cathode Ray Tube等）に出力される。
【００３０】
又、音声デコーダ部２９でデコード処理された音声情報は、Ｄ／Ａ変換部３３でアナログ化され、音声信号として図示しない音声再生装置（例えばスピーカ等）に出力される。
【００３１】
上記のような情報記憶媒体Ｄに対する一連の再生動作は、ＭＰＵ部１３によって統括的に制御されている。このＭＰＵ部１３は、キー入力部１２からの操作情報を受け、ＲＯＭ（Read Only Memory）部１５に格納されたプログラムに基づいて、各部を制御している。
【００３２】
（記録処理）
又、更に、本発明に係るディスク装置の記録処理について説明する。図２において、映像、音声（及び副映像）の各入力端子を通して入力される各データが、Ａ／Ｄ変換部１７，１８，１９に供給され、アナログ信号からデジタル信号に変換する。Ａ／Ｄ変換部１８でデジタル変換されたビデオデータは、映像エンコーダ部２０に供給されエンコードされる。Ａ／Ｄ変換部１８でデジタル変換された副映像情報は、副映像エンコーダ部２１に供給されエンコードされる。Ａ／Ｄ変換部１９でデジタル変換されたオーディオデータは、音声エンコーダ部２２に供給されエンコードされる。
【００３３】
各エンコーダでエンコードされたビデオ、オーディオ（及び副映像）の各データは、多重部（ＭＵＸ: Multiplexer）１６に供給され、それぞれパケット及びパック化し、ビデオパック、オーディオパック（及び副映像パック）としてＭＰＥＧ２プログラムストリームを構成する。多重化されたデータ群は、ファイルフォーマッタ部２５に供給され、このディスク装置で記録再生可能なファイル構造に準拠したファイルに変換する。このファイルは、ボリュームフォーマッタ部２４に供給され、このディスク装置で記録再生可能なボリューム構造に準拠したデータフォーマットを形成する。ここでは、ファイルフォーマッタ部２５でファイル化されたデータ及びそのファイル化されたデータを再生するための再生制御情報等を付加する。その後、物理フォーマッタ２３に供給され、ディスクドライブ部１１により、ディスクＤへファイル化されたデータを記録する。
【００３４】
このような再生動作や記録動作は、このディスク装置のＲＯＭ部１５に記憶された一連の処理プログラムに基づいて、キー入力部１２からの指示のもと、ＭＰＵ部１３で実行することにより行われるものである。
なお、このディスク装置では、エンコード処理とデコード処理との両方を行っているが、エンコード処理のみがオーサリングシステム等で単独で行われたり、デコード処理のみが光ディスク再生装置（ＤＶＤプレーヤ等）で行われる場合も可能である。
【００３５】
（本発明に係る第1実施形態）
第1実施形態は、ＰＧＣ情報のユーザ操作遷移情報として、所定操作に所定ＰＧＣ番号等を割り当てる場合を示す。図３は、本発明に係る第1実施形態であるＰＧＣ情報の構成例を示す図、図４は、本発明に係る第1実施形態である再生方法の一例を示すフローチャートである。
【００３６】
本発明に係る第１の実施形態においては、図３に示すように、ＰＧＣ情報としてユーザ操作遷移情報を記録することとし、ここにレジューム時のＰＧＣ番号、又はポーズ時のＰＧＣ番号を設定するものである。ここでは、レジューム操作が行われた場合の遷移先ＰＧＣとしてレジューム時のＰＧＣ番号を定義している。又、ポーズ時のＰＧＣ番号を定義している。
【００３７】
これらの情報を用いた再生方法を図４のフローチャートを用いて説明する。このフローチャートにおいて、一つのＰＧＣが処理され、プリコマンドが実行され（Ｓ１１）、ｘ＝０として（Ｓ１２）、セル（ｘ）が再生され（Ｓ１３）、これに応じてセルコマンドが実行される（Ｓ１４）。更に、ｘ＝ｘ＋１として（Ｓ１５）、最終セルまでセルが再生されるが（Ｓ１６）、最終セルであれば、ポストコマンドが実行され（Ｓ１７）、次のＰＧＣへと移行する（Ｓ１８）。
【００３８】
このようなセルの再生の途中で、ユーザがメニューコールの操作を行うと（Ｓ２１）、再生装置では、タイトル空間のＰＧＣの再生を中断し（Ｓ２２）、メニュー空間のエントリーＰＧＣの再生を開始する（Ｓ２４）。このとき、タイトル空間において再生中であったＰＧＣ番号(＃２)及びその再生位置は、レジューム情報として再生装置中に記憶される（Ｓ２３）。
【００３９】
逆にメニュー空間のＰＧＣを再生中に、ユーザがレジュームの操作を行うと（Ｓ２５）、メニュー空間のＰＧＣの再生を中断し（Ｓ２６）、レジューム操作に対応して遷移すべきＰＧＣが指定されていれば（Ｓ２７）、そのレジューム時のＰＧＣへと遷移することとなる（Ｓ２９）。又、レジューム操作に対応して遷移すべきＰＧＣが指定されていなければ（Ｓ２７）、レジューム情報即ちＰＧＣ番号（＃２）及び再生位置をロードして（Ｓ２８）、セル（ｘ）の処理へと戻ることになる。
【００４０】
このように本発明の第１実施形態により設けられたＰＧＣユーザ操作遷移情報を用いることにより、レジューム時のＰＧＣ番号へ、又は、同様に、ポーズ時のＰＧＣ番号へと再生開始位置を移動することが可能となる。
【００４１】
本発明によれば、このように現行ＤＶＤビデオ規格にない動作をＰＧＣに定義することが可能となり、所望の動作を設定することにより、ユーザの使い勝手を向上させる再生処理を行うことができる再生装置を提供することができる。
【００４２】
又、図４においてレジューム時のＰＧＣを定義している場合、例えばレジューム時のＰＧＣには「最後に再生されたタイトルが本編であるかＶＡＭであるかを判断し、本編の場合には従来と同様のレジューム動作を、ＶＡＭの場合にはＶＡＭに戻るのではなく本編の再生を開始する」というコマンドを記述しておけば、課題にあげたような現行ＤＶＤビデオ規格では実現し得なかった再生制御を行うことができる。
【００４３】
（本発明に係る第２実施形態）
第２実施形態は、ＰＧＣ情報のＰＧＣコマンドテーブルとして、所定操作に所定コマンド等を割り当てる場合を示す。図５は、本発明に係る第２実施形態であるＰＧＣ情報の構成例を示す図、図６は、本発明に係る第２実施形態である再生方法の一例を示すフローチャートである。
【００４４】
第２実施形態の第１実施形態との相違点は、レジューム操作が為された場合の動作を、ＰＧＣ番号ではなく、コマンドとして定義している点である。
【００４５】
第２実施形態では、図５に示すように、ＰＧＣのコマンドエリア内に、従来のプリコマンド、ポストコマンド及びセルコマンドに加えて、新たにユーザ操作コールバックコマンドを記述することとしている。
【００４６】
この情報を用いた再生方法のフローチャートの例を図６に示す。このフローチャートにおいて、動作は、図４のフローチャートと同様であり、図４のステップＳ２７が新たにステップＳ３１となり、ここで、ユーザ操作コールバックコマンドがあるかどうかが判断され（Ｓ３１）、存在する場合は、このコマンドを実行することとしている（Ｓ３２）。
【００４７】
例えば、レジューム時のコマンドに「最後に再生されたタイトルが本編あるかＶＡＭであるかを判断し、本編の場合には従来と同様のレジューム動作を、ＶＡＭの場合にはＶＡＭに戻るのではなく本編の再生を開始する」というコマンドを記述しておけば、前記第１の実施形態と同様の再生制御を行うことができる。
【００４８】
なお、上記の第1実施形態及び第２実施形態では、いずれもユーザのレジューム操作に対する動作を定義するＰＧＣ及びコマンドの例を挙げたが、本発明は、レジューム操作にのみ適用されるものではなく、他のユーザ操作に対してもこのようなコールバックＰＧＣ並びにコマンドを定義することで、現行ＤＶＤビデオ規格では実現できなかった所望の再生処理を実現することができる。
【００４９】
例えば、ユーザにクイズの回答をさせるようなＰＧＣの再生中に、ユーザがポーズボタンを操作した場合には、得点を減点するようなコマンド（又は、ＰＧＣ）を記録するというようなことも、コマンドの定義により可能となるものである。
【００５０】
（本発明に係る第３実施形態）
第３実施形態は、ＰＧＣ情報のＰＧＣタイマ遷移情報として、タイマ制御情報と所定ＰＧＣ番号を割り当てる場合を示す。図７は、本発明に係る第３実施形態であるＰＧＣ情報の構成例を示す図、図８は、本発明に係る第３実施形態である再生方法の一例を示すフローチャートである。
【００５１】
図７ではＰＧＣ情報としてタイマ遷移情報を記録することとし、タイマの有効・無効、タイマ値（時間）及びタイマコールバックＰＧＣを定義している。
【００５２】
この情報を用いた再生方法のフローチャートの例を図８に示す。このフローチャートにおいて、ＰＧＣを処理する場合のステップＳ１１乃至Ｓ１８は、図４と同等であり説明を省略する。Ｓ１１にて、プリコマンドが実行されると、タイマが設定されカウントが開始される（Ｓ４１）。そして、ＰＧＣの再生中に、タイマのチェックを行い、タイマ時のＰＧＣであるオンタイマＰＧＣ（On Timer PGC）が存在し（Ｓ４２）、かつタイマが有効で（Ｓ４３）、かつタイマをカウントしてみて（Ｓ４４）、これが規定値に達している場合には（Ｓ４５）、現ＰＧＣの再生を中断して（Ｓ４６）、オンタイマＰＧＣ（On Timer PGC）へ再生を遷移することとしている（Ｓ４７）。
【００５３】
このような処理により、例えば、オンタイマＰＧＣ（On Timer PGC）として、ディスク制作側があらかじめ用意しておいた映像（スクリーンセイバー等）を記録しておけば、上述した課題にあげたような現行ＤＶＤビデオ規格では実現できなかった利便性の高い再生処理を行うことが可能となる。
【００５４】
（本発明に係る第４実施形態）
第４実施形態は、ＰＧＣ情報のＰＧＣコマンドテーブルとして、タイマコールバックコマンド等を定義する場合を示す。図９は、本発明に係る第４実施形態であるＰＧＣ情報の構成例を示す図、図１０は、本発明に係る第４実施形態である再生方法の一例を示すフローチャートである。
【００５５】
又、図９に本発明の第４の実施形態の一例を示しており、第４実施形態の第３の実施形態との相違点は、タイマが発効した場合の動作を、ＰＧＣ番号ではなく、コマンドとして定義している点である。
【００５６】
第４実施形態では、図９に示すように、ＰＧＣのコマンドエリア内に、従来のプリコマンド、ポストコマンド及びセルコマンドに加えて、新たにタイマコールバックコマンドを記述することとしている。
【００５７】
図１０におけるフローチャートは、図８におけるフローチャートとほぼ同等であるが、ユーザ操作として、セル再生時は常にタイマがリセットされたかどうかが判断される（Ｓ５０）働きをもっている。更に、図８のフローチャートのステップＳ４２の代わりにタイムオーバ時のコマンドの有無が問われ（Ｓ４８）、その後、図８と同様の判断の末に、タイムオーバ時のコマンドが実行される（Ｓ４９）。
【００５８】
この第４実施形態においても、タイマコールバックコマンドに、「あらかじめ用意しておいた映像の在るＰＧＣに遷移する」というコマンドを記述しておけば、第３の実施形態と同様な再生制御を実現することができる。
【００５９】
（本発明に係る第５実施形態）
第５実施形態は、ＰＧＣ情報のＰＧＣタイマ遷移情報として、タイマ制御情報と所定コマンド等を割り当てる場合を示す。図１１は、本発明に係る第５実施形態であるＰＧＣ情報の構成例を示す図、図１２は、本発明に係る第５実施形態である再生方法の一例を示すフローチャートである。
【００６０】
第５実施形態の第３実施形態との相違点はユーザ操作に応じてタイマをリセットするかどうかの制御情報をＰＧＣに含めた点である。
【００６１】
これにより、例えばメニューＰＧＣの先頭でタイマ値を１２０秒と設定しておき、タイマのカウントを開始するが、ユーザがリモコンのカーソルキーを操作した場合には、タイマ値を初期値の１２０秒に戻して、改めてカウントを開始することで、最後のユーザ操作から１２０秒後に所定の映像の再生を開始するといった再生の制御を実現できる。
【００６２】
又、図１１に示すように、ユーザ操作によりタイマをリセットするかどうかを例えばＰＧＣタイマ遷移情報としてそのつど指定しておき、再生装置においては図１２に示すように、この指定に基づいてユーザ操作に対応してリセット動作を行う、又は、ユーザ操作があってもリセットは行わないようにすることで、更に細かな再生制御を実現することもできる。
【００６３】
ここで図１２のフローチャートは、図８のフローチャートの各ステップに加えて、「ＰＧＣタイマ遷移情報のユーザ操作によるリセットの有無」とユーザ操作とが一致してリセットを指定している時、タイマのリセットを行うものである(Ｓ５０)。
【００６４】
第５実施形態では、このようにユーザの操作に応じて、タイマをリセットするか等の制御情報をもＰＧＣに設定することで再生時の設定の自由度を向上させることができる。
【００６５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００６６】
【発明の効果】
以上、本発明によれば、従来のＤＶＤビデオ規格では制限されていた任意の動作をＰＧＣに設定することで、任意の操作に応じた任意の動作が可能となった再生処理を行う情報記録方法及び情報再生装置と情報記憶媒体を提供することができる。
【図面の簡単な説明】
【図１】本発明に係る光ディスクの構造の一例を示す図。
【図２】本発明に係る光ディスクを扱う光ディスク装置の構造の一例を示すブロック図。
【図３】本発明に係る第1実施形態であるＰＧＣ情報の構成例を示す図。
【図４】本発明に係る第1実施形態である再生方法の一例を示すフローチャート。
【図５】本発明に係る第２実施形態であるＰＧＣ情報の構成例を示す図。
【図６】本発明に係る第２実施形態である再生方法の一例を示すフローチャート。
【図７】本発明に係る第３実施形態であるＰＧＣ情報の構成例を示す図。
【図８】本発明に係る第３実施形態である再生方法の一例を示すフローチャート。
【図９】本発明に係る第４実施形態であるＰＧＣ情報の構成例を示す図。
【図１０】本発明に係る第４実施形態である再生方法の一例を示すフローチャート。
【図１１】本発明に係る第５実施形態であるＰＧＣ情報の構成例を示す図。
【図１２】本発明に係る第５実施形態である再生方法の一例を示すフローチャート。
【符号の説明】
１１…ディスクドライブ部、１２…キー入力部、１３…ＭＰＵ部、１４…メモリ部、１５…ＲＯＭ部、１６…多重部、２６…分離部、３４…レジューム時・タイマ中のＰＧＣの設定部。
【図１】
2004213714.tif 000003
【図２】
2004213714.tif 000004
【図３】
2004213714.tif 000005
【図４】
2004213714.tif 000006
【図５】
2004213714.tif 000007
【図６】
2004213714.tif 000008
【図７】
2004213714.tif 000009
【図８】
2004213714.tif 000010
【図９】
2004213714.tif 000011
【図１０】
2004213714.tif 000012
【図１１】
2004213714.tif 000013
【図１２】
2004213714.tif 000014